(57)【要約】  装着者の眼の前方に装着されるように意図されたレンズ要素の製造方法であって、レンズ部材の第１の表面に配置されたホログラフィック記録媒体を備えるレンズ部材を得るステップであって、ホログラフィック記録媒体が干渉パターンをホログラフィック光学要素に変換することができるように構成される、ステップと、少なくとも装着者の処方箋に関連する装着者の処方箋データを取得するステップと、装着者の処方箋データに基づいてレンズ部材の第２の表面を製造するステップと、眼の屈折異常の進行を遅らせるために処方された屈折力に反対の符号の加入屈折力を提供するために、ホログラフィック記録媒体内にホログラフィック光学要素を記録するステップと、を含む、方法。
2021528686.tif 000002
【特許請求の範囲】
【請求項１】
装着者の眼の前方に装着されるように意図されたレンズ要素の製造方法であって、
レンズ部材の第１の表面に配置されたホログラフィック記録媒体を備える前記レンズ部材を得るステップであって、前記ホログラフィック記録媒体が干渉パターンをホログラフィック光学要素に変換することができるように構成される、ステップと、
少なくとも前記装着者の処方箋に関連する装着者の処方箋データを取得するステップと、
前記装着者の処方箋データに基づいて前記レンズ部材の第２の表面を製造するステップと、
前記眼の屈折異常の進行を遅らせるために処方された屈折力に反対の符号の加入屈折力を提供するために、前記ホログラフィック記録媒体内にホログラフィック光学要素を記録するステップと、
を含むことを特徴とする方法。
【請求項２】
第１の光学面が、前記レンズ部材の前面及び／若しくは前記レンズ部材の後面及び／若しくは前記前面と前記後面との間に含まれる表面に対応する、請求項１に記載の方法。
【請求項３】
前記レンズ部材の前記第２の表面を製造する前記ステップが、前記ホログラフィック光学要素を記録する前記ステップの前に実行される、請求項１又は２に記載の方法。
【請求項４】
前記装着者の前記眼の前記屈折異常が近視に対応し、前記加入屈折力が正であり、前記ホログラフィック光学要素が、少なくとも１つの物体から到来する光に対して屈折収束レンズの効果を提供するように記録される、請求項１〜３のいずれか一項に記載の方法。
【請求項５】
前記装着者の前記眼の前記屈折異常が遠視に対応し、前記加入屈折力が負であり、前記ホログラフィック光学要素が、少なくとも１つの物体から到来する光に対して屈折発散レンズの効果を提供するように記録される、請求項１〜３のいずれか一項に記載の方法。
【請求項６】
前記少なくとも１つの物体が、前記ホログラフィック光学要素の有限距離に配置される、請求項４又は５に記載の方法。
【請求項７】
前記少なくとも１つの物体が、前記ホログラフィック光学要素の無限遠に配置される、請求項４又は５に記載の方法。
【請求項８】
ホログラフィック光学要素を記録する前記ステップが、少なくとも第１のホログラフィック光学要素を記録するステップであって、前記第１のホログラフィック光学要素が、前記ホログラフィック光学要素の有限距離にある物体から到来する光に対して屈折レンズの効果を提供するように構成される、ステップと、第２のホログラフィック光学要素を記録するステップであって、前記第２のホログラフィック光学要素が、前記ホログラフィック光学要素の無限遠にある物体から到来する光に対して屈折レンズの効果を提供するように構成される、ステップとを含む、請求項１〜７のいずれか一項に記載の方法。
【請求項９】
ホログラフィック光学要素を記録する前記ステップが、少なくとも第１のホログラフィック光学要素を記録するステップ及び少なくとも第２のホログラフィック光学要素を記録するステップであって、前記ホログラフィック光学要素が、有効可視スペクトル及び／若しくは角度帯の異なる部分を有するように記録される、ステップを含む、請求項１〜８のいずれか一項に記載の方法。
【請求項１０】
少なくとも２つのホログラフィック光学要素が、同じ加入屈折力を提供するように記録される、請求項１〜９のいずれか一項に記載の方法。
【請求項１１】
前記レンズ部材が近見基準点を備え、少なくとも１つのホログラフィック光学要素が前記近見基準点の上に延びるように記録される、請求項１〜１０のいずれか一項に記載の方法。
【請求項１２】
表面設計を有する第１の光学面と、
製造される第２の光学面と、
干渉パターンをホログラフィック光学要素に変換することができるように構成されたホログラフィック記録媒体と、
を備えることを特徴とするレンズ部材。
【請求項１３】
前記ホログラフィック記録媒体が、前記第１の光学面の幾何学的中心の上に延びる、請求項１２に記載のレンズ部材。
【請求項１４】
前記ホログラフィック記録媒体が前記第１の光学面に配置される、請求項１２又は１３に記載のレンズ部材。
【請求項１５】
前記ホログラフィック記録媒体が前記第１の表面と前記第２の表面との間に配置される、請求項１２又は１３に記載のレンズ部材。
【発明の詳細な説明】
【技術分野】
【０００１】
本発明は、近視又は遠視などの眼の屈折異常の進行を抑制又は低減するために人の眼の前方に装着されるように意図されたレンズ要素に関する。本発明は、表面設計を有する第１の光学面と製造される第２の光学面とを備えるレンズ部材にさらに関する。
【背景技術】
【０００２】
眼の近視は、眼が網膜の前方で遠方の物体に焦点を合わせるという事実を特徴とし、遠視は、眼が網膜の後方で遠方の物体に焦点を合わせるという事実を特徴とする。近視は、通常、負の屈折度数をもたらす凹レンズを使用して矯正され、遠視は、通常、正の屈折度数をもたらす凸レンズを使用して矯正される。
【０００３】
従来の単焦点光学レンズを使用して矯正した場合、一部の人々、特に子供は、近距離に置かれた物体を観察するとき、つまり近見条件では、正確に焦点を合わせることができないことが判明している。この焦点調節の障害のために、遠見視力が矯正されている近視の子供では、中心窩領域でさえ、近くの物体の像もその子供の網膜の後方に形成される。
【０００４】
このような焦点調節の障害は、そのような人々の近視の進行に影響を与え得る。上記の人々のほとんどにとって、近視の障害は、長時間の集中的な近距離での作業セッションを原因の１つとして、時間の経過とともに増悪する傾向があるということにお気付きの方もあろう。
【０００５】
特に、サルで行われた研究では、網膜の後方への著しい光の焦点ずれが、中心窩域から離れた場所で発生し、眼の伸長を引き起こし得ること、ひいては近視の障害を増悪させ得ることが示されている。
【０００６】
したがって、近視又は遠視などの眼の屈折異常の進行を抑制する、又は少なくとも遅らせるレンズ要素が必要とされているようである。
【先行技術文献】
【特許文献】
【０００７】
【特許文献１】国際公開第２０１６／１４６５９０号パンフレット
【特許文献２】国際公開第２０１６／１０７９１９号パンフレット
【非特許文献】
【０００８】
【非特許文献１】“Ｒｅｆｒａｃｔｉｖｅ  ｅｒｒｏｒ，  ａｘｉａｌ  ｌｅｎｇｔｈ，  ａｎｄ  ｒｅｌａｔｉｖｅ  ｐｅｒｉｐｈｅｒａｌ  ｒｅｆｒａｃｔｉｖｅ  ｅｒｒｏｒ  ｂｅｆｏｒｅ  ａｎｄ  ａｆｔｅｒ  ｔｈｅ  ｏｎｓｅｔ  ｏｆ  ｍｙｏｐｉａ”  ｂｙ  Ｍｕｔｔｉ  ＤＯ１，  Ｈａｙｅｓ  ＪＲ，  Ｍｉｔｃｈｅｌｌ  ＧＬ，  Ｊｏｎｅｓ  ＬＡ，  Ｍｏｅｓｃｈｂｅｒｇｅｒ  ＭＬ，  Ｃｏｔｔｅｒ  ＳＡ，  Ｋｌｅｉｎｓｔｅｉｎ  ＲＮ，  Ｍａｎｎｙ  ＲＥ，  Ｔｗｅｌｋｅｒ  ＪＤ，  Ｚａｄｎｉｋ  Ｋ；  ＣＬＥＥＲＥ  Ｓｔｕｄｙ  Ｇｒｏｕｐ，  Ｉｎｖｅｓｔ  Ｏｐｈｔｈａｌｍｏｌ  Ｖｉｓ  Ｓｃｉ．  ２００７  Ｊｕｎ；４８（６）：２５１０−９
【非特許文献２】“Ｐｅｒｉｐｈｅｒａｌ  ｒｅｆｒａｃｔｉｏｎ  ａｌｏｎｇ  ｔｈｅ  ｈｏｒｉｚｏｎｔａｌ  ａｎｄ  ｖｅｒｔｉｃａｌ  ｖｉｓｕａｌ  ｆｉｅｌｄｓ  ｉｎ  ｍｙｏｐｉａ”，  ｂｙ  Ａｔｃｈｉｓｏｎ  ＤＡ１，  Ｐｒｉｔｃｈａｒｄ  Ｎ，  Ｓｃｈｍｉｄ  ＫＬ，  Ｖｉｓｉｏｎ  Ｒｅｓ．  ２００６  Ａｐｒ；４６（８−９）：１４５０−８
【非特許文献３】“Ｐｅｒｉｐｈｅｒａｌ  Ｒｅｆｒａｃｔｉｏｎ  ａｎｄ  Ｏｃｕｌａｒ  Ｓｈａｐｅ  ｉｎ  Ｃｈｉｌｄｒｅｎ”  ，  ｂｙ  Ｄｏｎａｌｄ  Ｏ．  Ｍｕｔｔｉ，  Ｒｏｂｅｒｔ  Ｉ．  Ｓｈｏｌｔｚ，  Ｎｉｎａ  Ｅ．  Ｆｒｉｅｄｍａｎ，  ａｎｄ  Ｋａｒｌａ  Ｚａｄｎｉｋ  ｉｎ  ＩＯＶＳ，  Ａｐｒｉｌ  ２０００，  Ｖｏｌ．  ４１，  Ｎｏ．  ５
【発明の概要】
【課題を解決するための手段】
【０００９】
このために、本発明は、装着者の眼の前方に装着されるように意図されたレンズ要素であって、
例えば標準的な装着条件且つ中心窩視力用に、装着者の当該眼の屈折異常を矯正するための装着者の処方箋に基づいて、装着者に第１の屈折力を提供するように構成された屈折要素であって、処方箋が少なくとも装着者に適合された処方された屈折力を含む、屈折要素と、
眼の屈折異常の進行を遅らせるために処方された屈折力に反対の符号の加入屈折力を提供する少なくとも１つのホログラフィック光学要素と
を備える、レンズ要素を提案する。
【００１０】
好都合なことに、処方された屈折力に反対の符号の加入屈折力を提供するホログラフィック光学要素を有することにより、眼の網膜が変形する、特に伸長するという本来の傾向が軽減される。したがって、眼の屈折異常の進行が遅くなる。
【００１１】
さらに、ホログラフィック光学要素は、目立たないという利点を有し、且つ焦点距離測定器などの従来の手段を使用して第１の屈折力を測定することを可能にする。
【００１２】
単独で又は組み合わせて検討され得るさらなる実施形態によれば、
少なくとも１つのホログラフィック光学要素が、可視スペクトルの一部にわたって絶対値で０．２５ディオプトリ以上、例えば１．５ディオプトリ以上の加入屈折力を提供する、並びに／又は
装着者の眼の屈折異常が近視に対応し、加入屈折力が正であり、ホログラフィック光学要素が、少なくとも１つの物体から到来する光に対して屈折収束レンズの効果を提供するように構成される、並びに／又は
装着者の眼の屈折異常が遠視に対応し、加入屈折力が負であり、ホログラフィック光学要素が、少なくとも１つの物体から到来する光に対して屈折発散レンズの効果を提供するように構成される、並びに／又は
少なくとも１つの物体が、ホログラフィック光学要素の有限距離に配置される、並びに／又は
少なくとも１つの物体が、ホログラフィック光学要素の無限遠に配置される、並びに／又は
レンズ要素が少なくとも２つのホログラフィック光学要素をさらに備え、第１のホログラフィック光学要素が、ホログラフィック光学要素の有限距離にある物体から到来する光に対して屈折レンズの効果を提供するように構成され、第２のホログラフィック光学要素が、ホログラフィック光学要素の無限遠にある物体から到来する光に対して屈折レンズの効果を提供するように構成される、並びに／又は
少なくとも１つのホログラフィック光学要素が乱視屈折力を有する、並びに／又は
少なくとも１つのホログラフィック光学要素がレンズ要素の前面に配置される、並びに／又は
少なくとも１つのホログラフィック光学要素がレンズ要素の後面に配置される、並びに／又は
少なくとも１つのホログラフィック光学要素がレンズ要素の前面と後面との間に配置される、並びに／又は
少なくとも１つのホログラフィック光学要素が、０．２５ディオプトリ以上の屈折力を有する同心環状セクションと、０．１ディオプトリ以下の屈折力を有する同心環状セクションとを交互に有する、並びに／又は
レンズ要素が、有効可視スペクトル及び／若しくは角度帯の異なる部分を有する少なくとも２つのホログラフィック光学要素をさらに備える、並びに／又は
少なくとも２つのホログラフィック光学要素が同じ加入屈折力を提供するように構成される、並びに／又は
少なくとも２つのホログラフィック光学要素が異なる加入屈折力を提供するように構成される、並びに／又は
少なくとも２つのホログラフィック光学要素がレンズ要素の前面と後面との間に異なる位置を有する、並びに／又は
レンズ要素が近見基準点を有し、少なくとも１つのホログラフィック光学要素が上記近見基準点の上に延びる、並びに／又は
少なくとも１つのホログラフィック光学要素が有効可視スペクトル上で１０％以上の効率を有する、並びに／又は
ホログラフィック要素が、上記ホログラフィック要素を通過する光線に対して加入屈折力を提供するように構成される、並びに／又は
ホログラフィック要素が、上記ホログラフィック要素によって反射される光線に対して加入屈折力を提供するように構成される、並びに／又は
少なくとも１つのホログラフィック光学要素が、０．５ディオプトリ以上の屈折力を有する同心環状セクションと、０．１ディオプトリ以下の屈折力を有する同心環状セクションとを交互に有する。
【００１３】
本発明はまた、本発明によるレンズ要素を有し、装着者に着用されるように意図されたアイウェア機器に関する。
【００１４】
アイウェア機器は、眼鏡フレーム、ヘルメット、マスク、又は任意のヘッドアップ装置であり得る。
【００１５】
本発明は、
表面設計を有する第１の光学面と、
製造される第２の光学面と、
干渉パターンをホログラフィック光学要素に変換することができるように構成されたホログラフィック記録媒体と
を備える、レンズ部材にさらに関する。
【００１６】
好都合なことに、そのようなレンズ部材が、本発明によるレンズ要素を得るために使用され得る。
【００１７】
単独で又は組み合わせて検討され得るさらなる実施形態によれば、
ホログラフィック記録媒体が第１の光学面に配置される、及び／又は
ホログラフィック記録媒体が第１の光学面と第２の光学面との間に配置される、及び／又は
ホログラフィック記録媒体が平面である、若しくは第１の光学面と同じ形状を有する、及び／又は
ホログラフィック記録媒体が第１の光学面の幾何学的中心の上に延びる、及び／又は
ホログラフィック記録媒体が第１の光学面の表面積の１０％を超える表面積を有する、及び／又は
レンズ部材が複数のホログラフィック記録媒体をさらに備え、各ホログラフィック記録媒体が、可視スペクトルの異なる部分にわたって干渉パターンをホログラフィック光学要素に変換することができるように構成される。
【００１８】
本発明は、
表面設計を有する第１の光学面と、
製造される第２の光学面と、
可視スペクトルの一部にわたって屈折力を提供する少なくとも１つのホログラフィック光学要素と
を備える、レンズ部材にさらに関する。
【００１９】
好都合なことに、そのようなレンズ部材が、本発明によるレンズ要素を得るために使用され得る。
【００２０】
単独で又は組み合わせて検討され得るさらなる実施形態によれば、
少なくとも１つのホログラフィック光学要素が、０．２５ディオプトリ以上、例えば１．５ディオプトリ以上の屈折力を提供する、並びに／又は
少なくとも１つのホログラフィック光学要素が第１の光学面に配置される、並びに／又は
少なくとも１つのホログラフィック光学要素が第１の光学面と第２の光学面との間に配置される、並びに／又は
少なくとも１つのホログラフィック光学要素が第１の光学面の幾何学的中心を含み、上記幾何学的中心の周りに延びる、並びに／又は
少なくとも１つのホログラフィック光学要素が第１の光学面の表面積の１０％を超える表面積を有する、並びに／又は
レンズ部材が、有効可視スペクトル及び／若しくは角度帯の異なる部分を有する少なくとも２つのホログラフィック光学要素をさらに備える。
【００２１】
本発明は、装着者の眼の前方に装着されるように意図されたレンズ要素の製造方法であって、
レンズ部材の第１の表面に配置されたホログラフィック記録媒体を備えるレンズ部材を得るステップであって、ホログラフィック記録媒体が干渉パターンをホログラフィック光学要素に変換することができるように構成される、ステップと、
少なくとも装着者の処方箋に関連する装着者の処方箋データを取得するステップと、
装着者の処方箋データに基づいてレンズ部材の第２の表面を製造するステップと、
眼の屈折異常の進行を遅らせるために処方された屈折力に反対の符号の加入屈折力を提供するために、ホログラフィック記録媒体内にホログラフィック光学要素を記録するステップと
を含む、方法にさらに関する。
【００２２】
好都合なことに、本発明による方法は、ホログラフィック光学要素を備えるレンズ要素の製造プロセスを簡素且つ容易にすることを可能にする。
【００２３】
単独で又は組み合わせて検討され得る本発明のさらなる実施形態によれば、
第１の光学面が、レンズ部材の前面及び／若しくはレンズ部材の後面及び／若しくは前面と後面との間に含まれる表面に対応する、並びに／又は
レンズ部材の第２の表面を製造するステップが、ホログラフィック光学要素を記録するステップの前に実行される、並びに／又は
装着者の眼の屈折異常が近視に対応し、加入屈折力が正であり、ホログラフィック光学要素が、少なくとも１つの物体から到来する光に対して屈折収束レンズの効果を提供するように記録される、並びに／又は
装着者の眼の屈折異常が遠視に対応し、加入屈折力が負であり、ホログラフィック光学要素が、少なくとも１つの物体から到来する光に対して屈折発散レンズの効果を提供するように記録される、並びに／又は
少なくとも１つの物体が、ホログラフィック光学要素の有限距離に配置される、並びに／又は
少なくとも１つの物体が、ホログラフィック光学要素の無限遠に配置される、並びに／又は
ホログラフィック光学要素を記録するステップが、少なくとも第１のホログラフィック光学要素を記録するステップであって、第１のホログラフィック光学要素が、ホログラフィック光学要素の有限距離にある物体から到来する光に対して屈折レンズの効果を提供するように構成される、ステップと、第２のホログラフィック光学要素を記録するステップであって、第２のホログラフィック光学要素が、ホログラフィック光学要素の無限遠にある物体から到来する光に対して屈折レンズの効果を提供するように構成される、ステップとを含む、並びに／又は
ホログラフィック光学要素を記録するステップが、少なくとも第１のホログラフィック光学要素を記録するステップ及び少なくとも第２のホログラフィック光学要素を記録するステップであって、ホログラフィック光学要素が、有効可視スペクトル及び／若しくは角度帯の異なる部分を有するように記録される、ステップを含む、並びに／又は
少なくとも２つのホログラフィック光学要素が同じ加入屈折力を提供するように記録される、並びに／又は
レンズ部材が近見基準点を備え、少なくとも１つのホログラフィック光学要素が上記近見基準点の上に延びるように記録される。
【００２４】
以下、添付の図面を参照しながら、本発明の非限定的な実施形態を説明する。
【図面の簡単な説明】
【００２５】
【図１】本発明の実施形態によるレンズ要素の概略輪郭図である。
【図２】本発明の実施形態によるレンズ要素の平面図である。
【図３】本発明の実施形態によるホログラフィック光学要素を示す。
【図４】本発明の実施形態による方法の流れ図である。
【発明を実施するための形態】
【００２６】
図中の要素は、簡潔且つ明確であるように示されており、必ずしも原寸に比例して描かれていない。例えば、本発明の実施形態をより良く理解するのを助けるために、図中のいくつかの要素の寸法は、他の要素と比較して誇張されている場合がある。
【００２７】
本発明は、装着者の眼の前方に装着されるように意図されたレンズ要素に関する。
【００２８】
以降の説明では、「上」、「底」、「水平」、「垂直」、「上方」、「下方」、「前方」、「後方」などの用語、又は相対位置を示す他の語が使用される場合がある。これらの用語は、レンズ要素の装着条件において解釈されなければならない。
【００２９】
本発明の文脈では、「レンズ要素」という用語は、アンカット光学レンズ、又は特定の眼鏡フレームに合うように玉形加工済みの眼鏡光学レンズ、又は眼用レンズ及び眼用レンズ上に配置されるように適合された光学装置を指し得る。
【００３０】
本発明によるレンズ要素は、装着者に適合され、上記装着者の眼の前方に装着されるように意図されている。本発明は、屈折異常が近視である場合について詳細に説明されているが、本発明は、屈折異常が遠視である場合にも適用される。当業者であれば遠視の説明を改作し得る。
【００３１】
図１に示すように、本発明によるレンズ要素１０は、
屈折要素１２と、
少なくとも１つのホログラフィック要素１４と
を備える。
【００３２】
図１に示すレンズ要素１０は、物体側に向かって凸状に湾曲した表面として形成された前面すなわち「物体側」表面Ｆ１と、物体側表面Ｆ１の曲率とは異なる曲率を有する凹状の表面として形成された後面すなわち「眼側」表面Ｆ２とを備える。
【００３３】
図１では、前面は凸面として、後面は凹面として表されているが、本発明はそのような構成に限定されない。
【００３４】
屈折要素１２は、例えば標準的な装着条件且つ中心窩視力用に、装着者の上記眼の屈折異常を矯正するための装着者の処方箋に基づいて、装着者に第１の屈折力を提供するように構成される。
【００３５】
装着条件は、例えば、装用時前傾角、角膜からレンズまでの距離、瞳孔−角膜距離、眼球回旋点（ＣＲＥ）から瞳孔までの距離、ＣＲＥからレンズまでの距離、及びそり角によって定義される、装着者の眼に対するレンズ要素の位置として理解されたい。
【００３６】
角膜からレンズまでの距離は、第一眼位にある眼の視軸（通常、水平方向にある）に沿った角膜とレンズ後面との間の距離であり、例えば１２ｍｍに等しい。
【００３７】
瞳孔−角膜距離は、眼の視軸に沿った瞳孔と角膜との間の距離であり、通常２ｍｍに等しい。
【００３８】
ＣＲＥから瞳孔までの距離は、眼の視軸に沿った回旋点（ＣＲＥ）と角膜との間の距離であり、例えば１１．５ｍｍに等しい。
【００３９】
ＣＲＥからレンズまでの距離は、第一眼位にある眼の視軸（通常、水平方向にある）に沿った眼球のＣＲＥとレンズ後面との間の距離であり、例えば２５．５ｍｍに等しい。
【００４０】
装用時前傾角は、レンズの後面と第一眼位にある眼の視軸（通常水平方向にある）との交点における、レンズの後面の法線と第一眼位にある眼の視軸との間の垂直面内の角度であり、例えば８°に等しい。
【００４１】
そり角は、レンズの後面と第一眼位にある眼の視軸（通常、水平方向にある）との交点における、レンズの後面の法線と第一眼位にある眼の視軸との間の水平面内の角度であり、例えば０°に等しい。
【００４２】
標準的な装着者条件の例は、８°の装用時前傾角、１２ｍｍの角膜からレンズまでの距離、２ｍｍの瞳孔−角膜距離、１１．５ｍｍのＣＲＥから瞳孔までの距離、２５．５ｍｍのＣＲＥからレンズまでの距離、及び０°のそり角によって定義され得る。
【００４３】
「処方箋」という用語は、眼の視覚の障害を矯正するため、例えば眼の前方に配置されたレンズによって矯正するために眼科医又は検眼士によって測定された屈折力、乱視、プリズムによる光のフレの一組の光学特性を意味すると理解されたい。例えば、近視の眼のための処方箋は、遠見視力に関する屈折力の値と、乱視度数及び乱視軸を含む乱視の値とを含む。
【００４４】
本発明は累進レンズに限定されないが、本明細書で使用される表現は、累進レンズに関する文献である特許文献１の図１〜図１０に示されている。当業者であれば単焦点レンズの定義を改作し得る。
【００４５】
屈折要素は、装着者のために処方された屈折力に対応する、単焦点の屈折力及び／又は乱視度数の値と乱視軸の値とを含む乱視を提供するように構成され得る。
【００４６】
屈折要素は連続的に変わる屈折力を有する場合もある。例えば、屈折要素は累進加入設計を有する場合もある。
【００４７】
屈折要素の光学設計は、
屈折力が負であるフィッティングクロスと、
レンズ要素が装着者によって装着されているときに屈折要素の側頭側に延びる第１のゾーンと
を備え得る。第１のゾーンでは、屈折力は側頭側に移動するにつれて増加し、レンズの鼻側の屈折力はフィッティングクロスの屈折力と実質的に同じである。
【００４８】
このような光学設計は、特許文献２により詳細に開示されている。
【００４９】
少なくとも１つのホログラフィック光学要素１４が、眼の屈折異常の進行を遅らせるために処方された屈折力に反対の符号の加入屈折力を提供する。
【００５０】
本発明の意味において、「ホログラフィック光学要素」は、上記ホログラフィック光学要素を透過する又は上記ホログラフィック光学要素で反射する光線の振幅及び／又は位相及び／又は偏光を変える。
【００５１】
ホログラフィック光学要素は、上記ホログラフィック要素を通過する光線に対して加入屈折力を提供するように構成され得る。このような実施形態によれば、ホログラフィック光学要素は、レンズ要素を装着したときに装着者の環境から到来する光に対して加入屈折力を提供するように構成される。
【００５２】
或いは、ホログラフィック要素は、上記ホログラフィック要素によって反射される光線に対して屈折力を提供するように構成される。このような実施形態によれば、光学的レンズ要素は、光源、又はより一般的には画像生成装置を備えるヘッドマウント装置、例えば眼鏡フレームに取り付けられる。ヘッドマウント装置は、レンズ要素を装着したときに、光源からの光線がホログラフィック光学要素上で装着者の眼に向かって反射するように構成される。
【００５３】
好都合なことに、処方された屈折力に反対の符号の加入屈折力を提供するホログラフィック光学要素を有することにより、眼の成長を停止させる信号として機能する像が網膜の前方に形成され、装着者の眼の網膜の変形を、特に周辺視力において抑制し、レンズ要素を装着している人の眼の屈折異常の進行を遅らせることを可能にする。
【００５４】
装着者の眼の屈折異常が近視に対応する場合に、加入屈折力は正であり、ホログラフィック光学要素が少なくとも１つの物体から到来する光に対して屈折収束レンズの効果を提供するように構成される。
【００５５】
装着者の眼の屈折異常が遠視に対応する場合に、加入屈折力は負であり、ホログラフィック光学要素が少なくとも１つの物体から到来する光に対して屈折発散レンズの効果を提供するように構成される。
【００５６】
少なくとも１つの物体はホログラフィック光学要素の有限距離に配置され得る、或いは少なくとも１つの物体がホログラフィック光学要素の無限遠に配置され得る。
【００５７】
本発明の好ましい実施形態によれば、ホログラフィック光学要素は、可視スペクトルの一部にわたって、ホログラフィック光学要素を通過するか、ホログラフィック光学要素で反射する光に対して、絶対値で０．２５ディオプトリ以上、例えば絶対値で０．５ディオプトリ以上、例えば絶対値で１．５ディオプトリ以上の加入屈折力を提供する。
【００５８】
ホログラフィック光学要素は、加入屈折力を提供することに加えて乱視屈折力も提供する光学機能を有し得る。
【００５９】
図１に示す例では、ホログラフィック光学要素１４はレンズ要素１０の前面と後面との間に配置される。ホログラフィック光学要素１４は、平面形状を有してもよいし、任意の湾曲形状を有してもよい。
【００６０】
或いは、ホログラフィック光学要素はレンズ要素の前面Ｆ１に配置されてもよい。
【００６１】
さらに、ホログラフィック光学要素は光学要素の後面Ｆ２に配置されてもよい。
【００６２】
好ましくは、少なくとも１つのホログラフィック光学要素は有効可視スペクトル上で１０％以上の効率を有する。
【００６３】
好ましくは、少なくとも１つのホログラフィック光学要素は、可能な限り最大の角度帯を有するように構成される。
【００６４】
ホログラフィック光学要素は、０．２５ディオプトリ以上の屈折力を有する同心環状セクションと、０．１ディオプトリ以下の屈折力を有する同心環状セクションとを交互に有し得る。
【００６５】
本発明の実施形態によれば、レンズ要素が近見基準点を有し、ホログラフィック光学要素が上記近見基準点の上に延びる。
【００６６】
近見基準点はレンズ要素の点であり、この点を通して、装着者が標準的な装着者条件で約４０ｃｍのところにある物体を注視しているときに装着者の視線方向が通ることになる。
【００６７】
好都合なことに、ホログラフィック要素をレンズ要素の近用ゾーンに配置することは、ホログラフィック光学要素のサイズを縮小しながら、眼の屈折異常の進行を遅くするのに役立つ。実際、本発明者らは、近用ゾーンに配置された場合にホログラフィック光学要素の効率がより大きいことを確認した。
【００６８】
レンズ要素は、複数のゾーンに分割され得る。
【００６９】
例えば、図２に示すように、レンズ要素は４５°における４つの四分円Ｑ１、Ｑ２、Ｑ３、Ｑ４に分割され得る。
【００７０】
本発明の意味において、「４５°における四分円」とは、図２に示すように、ＴＡＢＯ基準（ＴＡＢＯ  ｃｏｎｖｅｎｔｉｏｎ）にしたがって４５°／２２５°及び１３５°／３１５°の方向に向けられた９０°の等しい角度の四分円として理解されたい。
【００７１】
本発明の実施形態によれば、各四分円は、異なる屈折力を提供するホログラフィック光学要素を備え得る。
【００７２】
例えば、第１の四分円Ｑ１は、０．５ディオプトリの加入屈折力を提供するホログラフィック要素を備え、第２の四分円Ｑ２は、１ディオプトリの加入屈折力を提供するホログラフィック要素を備え、第３の四分円Ｑ３は、１．５ディオプトリの加入屈折力を提供するホログラフィック要素を備え、第４の四分円Ｑ４は、２ディオプトリの加入屈折力を提供するホログラフィック要素を備え得る。
【００７３】
好都合なことに、屈折要素の光学設計が回転対称である場合、そのような構成は、所望の加入屈折力を有する四分円を近用ゾーンとして、つまり低い位置に配置させるために、単純にレンズ要素を回転することにより加入屈折力を適合させることができる。
【００７４】
図２に示すように、レンズ要素は、複数のホログラフィック光学要素１４ａ〜１４ｄを備え得る。
【００７５】
図２に示す例では、異なるホログラフィック要素が異なる位置を有し、且つ異なる加入屈折力を提供する。
【００７６】
通常、ホログラフィック光学要素は、所与の入射角で干渉パターンを使用し、且つレーザなどの単色光源を使用して記録される。
【００７７】
したがって、ホログラフィック光学要素は、上記ホログラフィック要素を記録するために使用される単色光源の波長付近に有効可視スペクトルを有し、且つ上記ホログラフィック要素を記録するために使用される入射角付近に角度帯を有する。
【００７８】
本発明の実施形態によれば、レンズ要素は、有効可視スペクトル及び／又は角度帯の異なる部分を有する少なくとも２つのホログラフィック光学要素をさらに備え得る。
【００７９】
したがって、有効可視スペクトル及び／又は角度帯のすべての部分が増加する。
【００８０】
少なくとも２つのホログラフィック光学要素は、異なる距離にある異なる物体から到来する光に対して屈折レンズの効果を提供するように構成され得る。
【００８１】
例えば、第１のホログラフィック光学要素が、ホログラフィック光学要素の有限距離にある物体から到来する光に対して屈折レンズの効果を提供するように構成され、第２のホログラフィック光学要素が、ホログラフィック光学要素の無限遠にある物体から到来する光に対して屈折レンズの効果を提供するように構成され得る。
【００８２】
異なるホログラフィック光学要素は、図２に示す例のように、異なる加入屈折力を提供するように構成され得る。
【００８３】
或いは、異なるホログラフィック光学要素は、同じ加入屈折力を提供するように構成され得る。
【００８４】
本発明の意味において、２つの屈折力間の差が０．２５Ｄ以上である場合に、２つの屈折力は異なると見なされる。
【００８５】
異なるホログラフィック光学要素は、レンズ要素の前面と後面との間、すなわちレンズ要素の光軸に沿って、及び／又はレンズ要素上で、すなわち光学レンズ要素に垂直な平面内で異なる位置を有し得る。
【００８６】
複数のホログラフィック光学要素は、不連続なホログラフィック光学要素であり得る。
【００８７】
本発明の意味において、２つのホログラフィック光学要素を結ぶすべての経路について、各経路の少なくとも一部に沿って人の眼の処方箋に基づく屈折力を測定し得る場合、２つのホログラフィック光学要素は不連続である。
【００８８】
複数のホログラフィック光学要素１４は、連続な少なくとも２つのホログラフィック光学要素を備え得る。
【００８９】
本発明の意味において、２つのホログラフィック光学要素を結ぶ経路がある場合に、上記の経路の一部に沿って、人の眼の処方箋に基づく屈折力を測定できない場合、２つのホログラフィック光学要素は連続である。
【００９０】
図３に示すように、ホログラフィック光学要素１４は、一組の同心円状の輪に沿って屈折要素１２上に配置され得る。ホログラフィック光学要素の屈折力及び／又は円柱は、同心円状の輪に沿ったそれらの位置に応じて異なり得る。
【００９１】
光学機能ホログラフィック光学要素は、円柱状のみの同心円状の輪の部分に対応する。この例では、ホログラフィック光学要素は、一定の屈折力を有するが、可変の円柱レンズ軸を有する光学機能を有する。
【００９２】
図３を参照して説明された、同心円状の輪を備える実施形態は、４つの四分円などの複数のゾーンを備えた図２の実施形態と組み合わされ得る。
【００９３】
本発明によるレンズ要素は着色されていてもいなくてもよい。レンズ要素は、好ましくはレンズ要素の物体側に、調光層及び／又は偏光層を備えてもよい。
【００９４】
本発明は、
表面設計を有する第１の光学面と、
製造される第２の光学面と、
干渉パターンをホログラフィック光学要素に変換することができるように構成されたホログラフィック記録媒体と
を備える、レンズ部材にさらに関する。
【００９５】
ホログラフィック記録媒体は、ホログラフィックフィルム又はホログラフィックワニスであり得る。
【００９６】
本発明の実施形態によれば、ホログラフィック記録媒体は第１の光学面に配置され得る。好都合なことに、ホログラフィック媒体は容易にアクセス可能であり、第２の光学面は標準的な製造プロセスを用いて製造され得る。
【００９７】
実施形態によれば、ホログラフィック記録媒体は第１の光学面と第２の光学面との間に配置される。好都合なことに、ホログラフィック媒体は保護される。
【００９８】
このような実施形態によれば、ホログラフィック記録媒体が平面であってもよいし、第１の光学面と同じ形状を有してもよい。
【００９９】
好ましくは、ホログラフィック記録媒体は第１の光学面の幾何学的中心の上に延びる。本発明の意味において、ホログラフィック記録媒体は、第１の光学面に垂直であり、且つ上記幾何学的中心を通過する線がホログラフィック媒体を通過する場合、第１の光学面の幾何学的中心の上に延びると見なされる。
【０１００】
本発明の実施形態によれば、ホログラフィック記録媒体は第１の光学面の表面積の１０％を超える表面積を有する。
【０１０１】
レンズ部材は複数のホログラフィック記録媒体を備え、各ホログラフィック記録媒体が、可視スペクトルの異なる部分にわたって干渉パターンをホログラフィック光学要素に変換することができるように構成され得る。
【０１０２】
本発明は、本発明によるレンズ要素の製造方法であって、
レンズ部材提供ステップと、
ホログラフィック記録ステップと、
レンズ製造ステップと
を含む、方法にさらに関する。
【０１０３】
レンズ部材提供ステップにおいて、ホログラフィック記録媒体を有する、本発明によるレンズ部材が提供される。
【０１０４】
レンズ部材は、第１の光学面の表面設計に基づいて選択され得る。
【０１０５】
ホログラフィック記録ステップにおいて、ホログラフィック光学要素が、０．２５ディオプトリ以上、例えば１．５ディオプトリ以上の加入屈折力を有する光学機能を提供するためにホログラフィック記録媒体内に記録される。
【０１０６】
製造ステップにおいて、レンズ部材の第２の表面は、レンズ要素を得るために装着者の処方箋に基づいて製造される。
【０１０７】
ホログラフィック記録ステップとレンズ製造ステップとは交換されてもよい。換言すれば、レンズ製造ステップは、ホログラフィック記録ステップの前に実行されてもよい。
【０１０８】
ホログラムはホログラフィック層に記録され、偏光層を追加する場合と同じタイプのプロセスを使用してレンズ部材に追加され得る。
【０１０９】
本発明はまた、装着者の眼の前方に装着されるように意図されたレンズ要素の製造方法に関する。
【０１１０】
レンズ要素の製造方法は、レンズ部材の第１の表面に配置されたホログラフィック記録媒体を備えるレンズ部材を得るステップを含む。
【０１１１】
本発明の異なる実施形態によれば、第１の光学面が、レンズ部材の前面及び／又はレンズ部材の後面及び／又は前面と後面との間に含まれる表面に対応し得る。
【０１１２】
本発明の意味において、レンズの後面は、レンズを装着したときに装着者の眼に面するレンズの表面を指す。前面は、後面とは反対を向いた表面に対応し、したがって装着者の環境に面する。
【０１１３】
ホログラフィック記録媒体が、干渉パターンをホログラフィック光学要素に変換することができるように構成される。換言すれば、ホログラフィック記録媒体は、記録される前にはレンズ部材に加入屈折力を提供しない。
【０１１４】
ホログラフィック記録媒体は、ホログラフィックフィルム又はホログラフィックワニスであり得る。
【０１１５】
レンズ部材は近見基準点を備え得る。
【０１１６】
レンズ要素の製造方法は、装着者の処方箋データを取得するステップをさらに含む。装着者のデータは、少なくとも装着者の処方箋に関連する。
【０１１７】
レンズ要素の製造方法は、装着条件データを取得するステップをさらに含み得る。装着条件データは、装着者上で測定された、又は例えば装着者に関連する形態学的データ若しくは姿勢データに基づいてカスタマイズされた装着条件に関連し得る。
【０１１８】
レンズ要素の製造方法は、装着者の網膜データを取得するステップをさらに含み得る。装着者の網膜データは、少なくとも、装着条件が提供されるのと同じ基準フレーム内の装着者の網膜の形状に関連する。装着者の網膜データは、標準的な網膜形状に対応してもよいし、装着者上で測定された、又は例えば装着者の形態若しくは処方箋に基づいてカスタマイズされた網膜の形状に対応してもよい。網膜データはまた、ホログラフィック光学要素に記録される屈折力に関連して表され得る。
【０１１９】
レンズ要素の製造方法は、少なくとも装着者の処方箋データに基づいてレンズ部材の第２の表面を製造するステップをさらに含む。
【０１２０】
本発明の実施形態によれば、レンズ部材の第２の表面は、装着データに基づいてさらに製造される。
【０１２１】
レンズ要素の製造方法は、ホログラフィック記録媒体内にホログラフィック光学要素を記録するステップをさらに含む。
【０１２２】
ホログラフィック光学要素は、眼の屈折異常の進行を遅らせるために処方された屈折力に反対の符号の加入屈折力を提供するために記録される。
【０１２３】
装着者の眼の屈折異常が近視に対応する場合、加入屈折力が正であり、ホログラフィック光学要素が少なくとも１つの物体から到来する光に対して屈折収束レンズの効果を提供するように記録される。
【０１２４】
或いは、装着者の眼の屈折異常が遠視に対応する場合、加入屈折力が負であり、ホログラフィック光学要素が少なくとも１つの物体から到来する光に対して屈折発散レンズの効果を提供するように記録される。
【０１２５】
少なくとも１つの物体は記録されたホログラフィック光学要素の有限距離に配置され得る、或いは少なくとも１つの物体は記録されたホログラフィック光学要素の無限遠に配置され得る。
【０１２６】
好ましくは、レンズ部材の第２の表面を製造するステップが、ホログラフィック光学要素を記録するステップの前に実行される。
【０１２７】
好都合なことに、光学レンズの第２の表面を製造した後にホログラフィック光学要素を記録することは、レンズの製造を容易にする。実際、レンズ部材の第２の表面が製造され、レンズの光学機能が規定されると、装着者の眼の屈折異常を遅くするために光をユーザの網膜の前方／後方に集束させるようにホログラフィック光学要素を記録することがより容易になる。
【０１２８】
本発明の別の実施形態によれば、ホログラフィック光学要素を記録するステップは、少なくとも第１のホログラフィック光学要素及び第２のホログラフィック光学要素を記録するステップを含み得る。
【０１２９】
第１のホログラフィック光学要素は、ホログラフィック光学要素の有限距離にある物体から到来する光に対して屈折レンズの効果を提供するように構成され得る。
【０１３０】
第２のホログラフィック光学要素は、ホログラフィック光学要素の無限遠にある物体から到来する光に対して屈折レンズの効果を提供するように構成され得る。
【０１３１】
第１のホログラフィック光学要素及び第２のホログラフィック光学要素は、有効可視スペクトル及び／又は角度帯の異なる部分を有するように記録され得る。
【０１３２】
第１のホログラフィック光学要素及び第２のホログラフィック光学要素は、同じ加入屈折力を提供するように記録され得る。或いは、第１のホログラフィック光学要素と第２のホログラフィック光学要素とは、異なる加入屈折力を提供するように構成され得る。
【０１３３】
少なくとも１つのホログラフィック光学要素が、レンズ部材の近見点の上に延びるように記録され得る。
【０１３４】
本発明はまた、
表面設計を有する第１の光学面と、
製造される第２の光学面と、
可視スペクトルの一部にわたって屈折力を提供する少なくとも１つのホログラフィック光学要素と
を備える、レンズ部材にさらに関する。
【０１３５】
好都合なことに、このようなレンズ部材は、近視などの屈折異常の進行を遅くするために装着者に適合されたレンズ要素を製造するために使用され得る。
【０１３６】
好ましくは、少なくとも１つのホログラフィック光学要素が、０．２５ディオプトリ以上、例えば１．５ディオプトリ以上の屈折力を提供する。
【０１３７】
ホログラフィック光学要素は、第１の光学面に、又は第１の光学面と第２の光学面との間に配置され得る。
【０１３８】
本発明の実施形態によれば、少なくとも１つのホログラフィック光学要素が第１の光学面の幾何学的中心を含み、この幾何学的中心の周りに延びる。
【０１３９】
好ましくは、少なくとも１つのホログラフィック光学要素が、第１の光学面の表面積の１０％を超える表面積を有する。
【０１４０】
本発明によるレンズ部材が、有効可視スペクトル及び／又は角度帯の異なる部分を有する少なくとも２つのホログラフィック光学要素を備え得る。
【０１４１】
本発明はまた、装着者の眼の屈折異常の進行を遅くするように適合されたレンズ要素を決定するための方法に関する。
【０１４２】
図４に示すように、本発明の方法は、少なくとも、
装着者の処方箋データ提供ステップＳ１と、
装着条件データ提供ステップＳ２と、
装着者の網膜データ提供ステップＳ３と、
レンズ要素決定ステップＳ４と、
を含む。
【０１４３】
装着者の処方箋データ提供ステップＳ１において、装着者の処方箋に関連する装着者の処方箋データが提供される。
【０１４４】
装着者条件データ提供ステップＳ２において、装着者によるレンズ要素の装着条件に関連する装着条件データが提供される。
【０１４５】
本発明の実施形態によれば、装着条件データ提供ステップにおいて提供される装着条件データは、標準的な装着条件に対応する。
【０１４６】
或いは、装着条件データ提供ステップにおいて提供される装着条件データは、装着者上で測定された、又は例えば装着者に関連する形態学的データ若しくは姿勢データに基づいてカスタマイズされた装着条件に対応する。
【０１４７】
装着者の網膜データ提供ステップＳ３において、装着条件が提供されるのと同じ基準フレーム内の装着者の網膜の形状に関連する網膜データが提供される。
【０１４８】
本発明の実施形態によれば、装着者の網膜データ提供ステップにおいて提供される装着者の網膜データは、標準的な網膜形状に対応する。
【０１４９】
標準的な網膜形状の例は、非特許文献１に開示されている。
【０１５０】
標準的な網膜形状のさらなる例は、非特許文献２に開示されている。
【０１５１】
標準的な網膜形状のさらなる例は、非特許文献３に開示されている。
【０１５２】
或いは、装着者の網膜データ提供ステップにおいて提供される装着者の網膜データは、装着者上で測定された、又は例えば装着者の形態若しくは処方箋に基づいてカスタマイズされた網膜の形状に対応してもよい。網膜データはまた、ホログラフィック光学要素に記録される屈折力に関連して表され得る。
【０１５３】
レンズ要素決定ステップＳ４において、屈折要素と少なくとも１つのホログラフィック光学要素とを備えるレンズ要素が決定される。
【０１５４】
レンズ要素は、屈折要素が、装着データに対応する装着条件及び中心窩視力用に、装着者の処方箋に基づいて第１の屈折力を提供するように決定される。
【０１５５】
さらに、少なくとも１つのホログラフィック光学要素が、処方された屈折力に反対の符号の加入屈折力を提供するように決定される。
【０１５６】
装着者の眼の屈折異常が近視に対応する場合、加入屈折力が正であり、ホログラフィック光学要素が少なくとも１つの物体から到来する光に対して屈折収束レンズの効果を提供するように構成される。
【０１５７】
装着者の眼の屈折異常が遠視に対応する場合、加入屈折力が負であり、ホログラフィック光学要素が少なくとも１つの物体から到来する光に対して屈折発散レンズの効果を提供するように構成される。
【０１５８】
少なくとも１つの物体はホログラフィック光学要素の有限距離に配置され得る、或いは少なくとも１つの物体はホログラフィック光学要素の無限遠に配置され得る。
【０１５９】
本発明の実施形態によれば、レンズ要素決定ステップにおいて、有効可視スペクトル及び／又は角度帯の異なる部分を有する複数のホログラフィック光学要素が決定される。
【０１６０】
図４に示すように、本発明の方法は、前面データ提供ステップＳ４０をさらに含み得る。
【０１６１】
前面データ提供ステップＳ４０において、レンズ要素の前面すなわち第１の表面を表す前面データが提供される。
【０１６２】
このような実施形態によれば、レンズ要素決定ステップにおいて、屈折要素が、装着データに対応する装着条件及び中心窩視力用に、装着者の処方箋に基づいて第１の屈折力を提供し、少なくとも１つのホログラフィック光学要素が、処方された屈折力に反対の符号の加入屈折力を提供するように、後面すなわち第２の表面の形状と前面に配置されるホログラフィック光学要素とが決定される。
【０１６３】
好ましい実施形態によれば、レンズ要素決定ステップにおいて、後面の形状は、屈折要素が、装着データに対応する装着条件及び中心窩視力用に、装着者の処方箋に基づいて第１の屈折力を提供するように決定される。
【０１６４】
ホログラフィック光学要素の加入屈折力は、特に周辺視野のために、光線を眼の網膜から所与の距離に集束させるように決定される。
【０１６５】
以上、一般的な本発明の概念を限定することなく、実施形態の助けを借りて、本発明を説明してきた。
【０１６６】
例としてのみ与えられたものであり、添付の特許請求の範囲によってのみ決定される本発明の範囲を限定することを意図されていない上述の例示的な実施形態を参照すれば、当業者には多くのさらなる修正形態及び変形形態が明らかになるはずである。
【０１６７】
特許請求の範囲において、「含む（ｃｏｍｐｒｉｓｉｎｇ）」という語は、他の要素又はステップを排除せず、不定冠詞「ａ」又は「ａｎ」は、複数を排除しない。異なる特徴が相互に異なる従属請求項に記載されているという単なる事実は、これらの特徴の組み合わせを好都合に使用することができないことを示すものではない。特許請求の範囲におけるいかなる参照符号も、本発明の範囲を限定するものとして解釈されるべきではない。
【０１６８】
本発明の意味において、「得る（ｏｂｔａｉｎｉｎｇ）」という用語は、「受け取る（ｒｅｃｅｉｖｉｎｇ）」及び「回収する（ｒｅｔｒｉｅｖｉｎｇ）」という用語を包含する。
【符号の説明】
【０１６９】
１０  レンズ要素
１２  屈折要素
１４  ホログラフィック要素
【図１】
2021528686.tif 000003
【図２】
2021528686.tif 000004
【図３】
2021528686.tif 000005
【図４】
2021528686.tif 000006
【国際調査報告】
2021528686.tif 000007
2021528686.tif 000008
2021528686.tif 000009
2021528686.tif 000010
2021528686.tif 000011